(57)【特許請求の範囲】
【請求項１】
液透過性の表面シート、液不透過性の裏面シート及びこれら両シート間に介在された液保持性の吸収体を備えた本体部分を有する吸収性物品であって、
前記本体部分の前記裏面シート側に、少なくとも２本の帯状の弾性伸縮部材が、それぞれの両端部において固定されており、
前記本体部分を、前記表面シート側に窪みが生じるように変形させ、その変形した形状を前記弾性伸縮部材で維持した状態で着用者に装着される吸収性物品。
【請求項２】
男性の液排泄部に被せるように装着される請求項１記載の吸収性物品。
【請求項３】
前記本体部分は、実質的に縦長に形成されており、前記２本の弾性伸縮部材それぞれは、前記本体部分の長手方向に沿って配設されており、それぞれの両端部は、前記本体部分の幅方向のほぼ中央部に固定されている請求項１又は２記載の吸収性物品。
【請求項４】
前記２本の弾性伸縮部材は、長手方向の端部同士が重なっている請求項１〜３の何れか記載の吸収性物品。
【発明の詳細な説明】
【０００１】
【発明の属する技術分野】
本発明は、吸収性能の発現に適した形状に容易に変形させることができ、着用中に、その形状が安定に維持される吸収性物品に関する。
【０００２】
【従来の技術及び発明が解決しようとする課題】
近年、尿の処理に伴う経済的、労力的な負担の軽減を目的として、尿吸収用パッドを、使い捨ておむつや下着等と併用することが行われている。斯かる尿吸収用パッドは、着用中に、着用者の身体の形状に沿うように変形する。
しかし、その変形した形状は、必ずしも吸収性能の発現に適した形状ではなく、所望の吸収性能が得られない場合があった。また、弾性部材の収縮力により防漏壁を起立させたり物品自体を湾曲させたりすることによって、吸収性能等を向上させることも行われているが、着用中におけるその形状が安定に維持されず、所望の吸収性能が得られない場合があった。
【０００３】
従って、本発明は、吸収性能の発現に適した形状に容易に変形させることができ、着用中に、その形状が安定に維持される吸収性物品を提供することにある。
【０００４】
【課題を解決するための手段】
本発明は、液透過性の表面シート、液不透過性の裏面シート及びこれら両シート間に介在された液保持性の吸収体を備えた本体部分を有する吸収性物品であって、前記本体部分の前記裏面シート側に、少なくとも２本の帯状の弾性伸縮部材が、それぞれの両端部において固定されており、前記本体部分を、前記表面シート側に窪みが生じるように変形させ、その変形した形状を前記弾性伸縮部材で維持した状態で着用者に装着される吸収性物品を提供することにより、上記の目的を達成したものである。
【０００５】
【発明の実施の形態】
以下、本発明をその好ましい実施形態に基づいて詳細に説明する。
本発明の一実施形態としての尿吸収用パッド１は、図１及び図２に示すように、液透過性の表面シート２、液不透過性の裏面シート３及びこれら両シート２、３間に介在された液保持性の吸収体４を備えた本体部分１０を有している。本体部分１０は、実質的に縦長に形成されている。図１には、平面状に伸張させた状態の尿吸収用パッド１の裏面シート３側が示されている。
【０００６】
尿吸収用パッド１は長方形状であり、表面シート２がその外形を形成している。裏面シート３は、表面シート２よりも幅狭の長方形状であり、尿吸収用パッド１の幅方向中央部に長手方向の両端部間に亘るように配されている。
吸収体４は、表面シート２よりも長さ及び幅が若干小さい長方形状の外形を有し、表面シート２と裏面シート３とは、吸収体４の長手方向の両端縁よりも外方に延出する部分において互いに接合されている。吸収体４は、裏面シート３よりも幅広であり、裏面シート３の両側縁よりも外方に延出した部分は、その一面側を表面シート２に被覆される一方、他面側を第２裏面シート５により被覆されている。表面シート２と第２裏面シート５とは、吸収体４の長手方向の両側縁よりも外方に延出する部分において互いに接合されており、接合された両シート間には、側部ギャザー形成用の糸状の弾性体７が挟持固定されている。
【０００７】
尿吸収用パッド１の本体部分１０の裏面シート３側には、２本の帯状の弾性伸縮部材６，６が、それぞれの両端部６ａ，６ｂにおいて固定されている。
各弾性伸縮部材６は、二つ折りした帯状シート６２間に、糸状の弾性部材６１を伸長状態で固定して形成されている。各弾性伸縮部材６には、複数本の弾性部材が間隔を設けて略平行に配されている。
【０００８】
２本の弾性伸縮部材６それぞれは、本体部分１０の長手方向に沿って配設されており、その両端部６ａ，６ｂは、本体部分１０の幅方向のほぼ中央部に固定されている。弾性伸縮部材６の両端部６ａ，６ｂは、本体部分の幅方向（図１の左右方向）の長さの１／３を占める中央部に固定されていることが好ましく、特に前記長さの１／５を占める部分に中央部に固定されていることがより好ましい。
弾性伸縮部材６は、本体部分１０の長手方向の両端部間に亘って配されており、図１に斜線で示した部分において、裏面シート３上に固定されている。本体部分１０に弾性伸縮部材６を固定する手段としては、接着剤、ヒートシール、超音波シール等の公知の固定手段を用いることができる。また、弾性伸縮部材６の中央部分は、本体部分１０に固定されていない。
【０００９】
また、２枚の弾性伸縮部材６は、図３に示すように、長手方向の端部同士（端部６ａと６ａ、端部６ｂと６ｂ）が重なっている。
尚、弾性伸縮部材６の長さや幅等は、適宜に設定することができ、例えば、弾性伸縮部材の幅は０．０５〜２０ｃｍとすることができ、弾性伸縮部材６の本体部分１０に固定されていない部分（中央部分）の長さ（図１に示す状態で測定した長さ）は１．０〜２０ｃｍとすることができ、該長さの本体部分１０の全長に対する比率は０．０５〜０．９５とすることができる。
【００１０】
本実施形態の尿吸収用パッド１は、本体部分１０を、表面シート２側に窪みが生じるように変形させ、その変形した形状を、２本の弾性伸縮部材６，６で維持した状態で着用者に装着される。
図４は、男性の液排泄部（ペニス）に被せるように装着して使用する場合（男性用尿吸収用パッドとして用いる場合）を示す説明図である。
先ず、図４（ａ）に示すように、弾性伸縮部材６を指で摘んで左右に引っ張り、弾性伸縮部材６，６同士間に、本体部分１０の一部を押し込むための隙間を形成すると共に、表面シート２側から、尿吸収用パッド１の本体部分１０の中央部を指で押圧して、該中央部を弾性伸縮部材６，６間に押し込む。
図４（ｂ）に示すように、パッド１の表面シート２側を大きく窪ませ、本体部分１０を、お椀状の形状とした後、弾性伸縮部材６から手を離す。この状態においては、お椀状に変形した本体部分１０の周囲が、弾性伸縮部材の弾性収縮力により押圧されるため、その変形した形状が安定に維持される。
そして、図４（ｃ）に示すように、この変形した状態のパッド１を、男性の液排泄部（ペニス）８に被せる。着用中には、この変形した状態が安定に維持される。
【００１１】
本実施形態の尿吸収用パッド１によれば、吸収性能の発現に適した形状〔例えば、図４（ｂ）又は図４（ｃ）に示すような形状）に容易に変形させることができ、着用中に、その形状が安定に維持される。
そのため、優れた吸収性能が得られるのみならず、着用中の位置ズレも防止され、更に、男性の液排泄部８に直接手を触れずに装着できるという利点もある。
また、本実施形態においては、弾性伸縮部材６，６の両端部６ａ，６ｂが本体部分１０の幅方向のほぼ中央部に固定されているため、弾性伸縮部材間に押し込まれたパッド１ないし本体部分１０の中央部がその周囲全体から押圧される。そのため、より深い窪みの形成が可能であり、着用中における変形形状の保形性にも一層優れている。特に、２枚の弾性伸縮部材６の長手方向の端部同士が重なっているため、斯かる効果が一層顕著に発現される。
【００１２】
また、本実施形態における吸収体４は、図２に示すように、中央吸収体４１と、その両側のサイド吸収体４２，４２と、これらを被覆する液透過性の被覆シート４３とからなり、中央吸収体４１と両サイド吸収体４２の境界部が、吸収体４の折れ曲がり易さを向上させる可撓軸４４として機能する。吸収体４に可撓軸４４を設けることで、吸収体の変形自由度が増大し、より深い窪みを表面シート２側に形成させることができ、着用者への装着性や吸収性能等の一層の向上を図ることができる。尚、吸収体に可撓軸を形成する方法としては、本実施形態の方法に代えて、吸収体４にエンボス線を付与したり、吸収体４にスリットを形成する等の方法を用いることもできる。被覆シート４３は、紙又は不織布からなる液透過性のシートで、吸収体の表面を形成している。
また、吸収体４に設けた可撓軸４４と重なる部位又は両サイド吸収体４２と重なる部位に、該可撓軸４４に沿って弾性部材９が配されていることが好ましい。図２では、弾性部材９は、サイド吸収体と表面シートとの間に配されているが、サイド吸収体と裏面シート又は側部シートとの間に配しても良い。
【００１３】
尚、本実施形態の尿吸収用パッド１は、本体部分１０を図４（ａ）及び図５に示す状態に変形させた段階において、その形状を弾性伸縮部材６，６により固定して用いることもできる。その場合には、例えば、表面シート２側の窪みを、男性又は女性の液排泄部に当てて使用する。
【００１４】
本実施形態の尿吸収用パッド１の形成材料について説明すると、表面シート２、裏面シート３、吸収体４としては、生理用ナプキン、使い捨ておむつ等の吸収性物品に従来用いられているものを特に制限なく用いることができる。
第２裏面シート５としては、裏面シート３と同様の液不透過性の材料を用いることができる。
弾性伸縮部材６を形成する帯状シート６２としては、不織布、樹脂フィルム、織布、編布及びこれらの積層体等を用いることができ、不織布、特に撥水性の不織布であることが好ましい。また、弾性部材６１の素材としては、合成ゴム、天然ゴム、スパンデックス等を挙げることができ、弾性部材６１の形態としては、糸状の他、帯状、フィルム状等を挙げることができる。弾性部材７及び９としては、弾性部材６１と同様の素材及び形態のものを用いることができる。
【００１５】
本発明は、上述した実施形態に制限されず、本発明の趣旨を逸脱しない範囲内において種々変更可能である。
例えば、上述した実施形態においては、シート材６２と弾性部材６１とからなる弾性伸縮部材６を用いたが、例えば全体又は一部が弾性フィルムからなる弾性伸縮部材６を用いることもできる。
【００１６】
また、弾性伸縮部材６は、図６（ａ）〜（ｄ）に示すような態様で配設及び固定されていても良い。
また、２本の弾性伸縮部材６は、端部同士が連結されて環状をなしていても良い。また、上述した実施形態においては、吸収体４の片面は、裏面シート３及び第２裏面シート５の計３枚のシート材により被覆されているが、１枚の幅広の裏面シートのみで被覆された態様も好ましい実施形態である。
また、本発明の吸収性物品は、尿吸収用パッド（失禁パッドを含む）の他、生理用ナプキン、パンティーライナー、使い捨ておむつ等であっても良い。
【００１７】
【発明の効果】
本発明の吸収性物品は、吸収性能の発現に適した形状に容易に変形させることができ、着用中に、その形状が安定に維持されるものである。
【図面の簡単な説明】
【図１】図１は、本発明の一実施形態としての尿吸収用パッドを示す平面図である。
【図２】図２は、図１のＸ−Ｘ断面を示す模式断面図である。
【図３】図３は、図１に示す尿吸収用パッドの自然状態における裏面シート側を示す概略斜視図である。
【図４】図４は、図１に示す尿吸収用パッドの使用方法の一例を示す説明図である。
【図５】図５は、図１に示す尿吸収用パッドの他の使用方法を説明するための図で、図４（ａ）に示す状態の尿吸収用パッドの幅方向断面を示す模式断面図である。
【図６】図６は、本発明の他の実施形態を示す模式平面図である。
【符号の説明】
１    尿吸収用パッド（吸収性物品）
２    表面シート
３    裏面シート
４    吸収体
６    弾性伸縮部材
６１  弾性部材
６２  帯状シート（シート材）
８    着用者の液排泄部
１０  本体部分
【図１】
0003933472.tif 000002
【図２】
0003933472.tif 000003
【図３】
0003933472.tif 000004
【図４】
0003933472.tif 000005
【図５】
0003933472.tif 000006
【図６】
0003933472.tif 000007